(57)【要約】【課題】デジタルカメラで撮影した画像に、デジタルカメラ単独の操作により文字データ等を追記する場合に、オペレータの操作負担を減らす。【解決手段】被写体を撮影する以前に、被写体の付加項目名を表示部に表示させて選択可能とし、選択した付加項目名を被写体の画像に付加情報として追加して撮影可能としたデジタルカメラ装置において、当該デジタルカメラ装置に装填して使用するメモリカード内に、予め付加項目名を付したフォルダをディレクトリ構成で格納しておき、表示部に表示させた付加項目名の中から選択可能とした。このようにすれば、メモリカード内にあらかじめ記録されている付加項目名（例えば、図４の「ＩＴＥＭ１」）を、表示部に表示するようにしたので、オペレータは各種の付加項目名を容易に選択することができる。【選択図】　　図４
2004072390.tif 000002
【特許請求の範囲】
【請求項１】
被写体を撮影する以前に、被写体に対する付加項目名を表示部に表示させて選択可能とし、選択した付加項目名を前記被写体の画像に付加情報として追加して撮影可能としたデジタルカメラ装置において、
当該デジタルカメラ装置に装填して使用するメモリカード内に、あらかじめ前記付加項目名を付したフォルダをディレクトリ構成で格納しておき、前記表示部に表示させた前記付加項目名の中から選択可能としたことを特徴とするデジタルカメラ装置。
【請求項２】
請求項１記載のデジタルカメラ装置において、
前記付加項目名は、被写体のタイトル名であることを特徴とするデジタルカメラ装置。
【請求項３】
請求項１または請求項２記載のデジタルカメラ装置において、前記付加項目名の数が前記表示部の表示領域の表示可能数より多い場合に、自動的に次画面を生成して次の付加項目名を表示可能にしたことを特徴とするデジタルカメラ装置。
【請求項４】
請求項１または請求項２記載のデジタルカメラ装置において、前記付加項目名の数が前記表示部の表示可能数より多い場合に、前記付加項目名の文字を縮小して前記表示部に表示することを特徴とするデジタルカメラ装置。
【請求項５】
請求項１または請求項２記載のデジタルカメラ装置において、前記付加項目名を選択して表示部に表示した際に、選択した付加項目の文字数が該表示部の表示可能領域より多い場合に、該表示可能領域内で横スクロールを行って全ての文字を表示することを特徴とするデジタルカメラ装置。
【請求項６】
請求項５記載のデジタルカメラ装置において、
前記横スクロールを行う際は、前記付加項目名の先頭文字を表示部の左詰で表示させ、一連の文字表示毎に所定時間の表示を行うことを特徴とするデジタルカメラ装置。
【請求項７】
請求項１記載のデジタルカメラ装置において、
前記メモリカード内の選択項目毎に、前記ディレクトリ構成における画像格納先を分類することを特徴とするデジタルカメラ装置。
【請求項８】
請求項１記載のデジタルカメラ装置において、
複数の被写体を順次撮影する場合に、前記付加項目名に付された数字を自動的に一定数インクリメントすることを特徴とするデジタルカメラ装置。
【発明の詳細な説明】
【０００１】
【発明の属する技術分野】
本発明は、デジタルカメラ装置に関し、特に、デジタルカメラで撮影した画像に、デジタルカメラ単独の操作により文字データ等を追記する場合に、オペレータのデジタルカメラ操作の負担を減らすようにしたデジタルカメラに関する。
【０００２】
【従来の技術】
近年、被写体をＣＣＤ等の撮像素子で撮影し、信号処理等を行った後、半導体メモリに記録するデジタルカメラ装置（以下、デジタルカメラと記す）が普及してきている。このデジタルカメラは、従来の銀塩フィルムに記録するアナログカメラに比較し、次の特徴を持つ。
【０００３】
▲１▼撮影した画像をＬＣＤ（液晶）等の表示装置に、その場で表示することができ、また、その場で直ちに消去できる。
▲２▼撮影した画像のデータに、音声情報や文字情報を付加できる。
▲３▼撮影した画像をパーソナルコンピュータ（パソコン）に取り込み、電子メール等を介して画像を送信することができる。
▲４▼ゴルフスイング等を動画として観ることができる。
▲５▼また、アナログカメラと共通する機能としては、例えば撮影年月日や撮影者名称等をカメラに設定し、この撮影年月日等を画像（写真）に入れ込むことができる。
【０００４】
一方、このような特徴を持つデジタルカメラを、例えば自動車保険会社が業務に使用する場合がある。具体例としては、新たに自動車（マイカー等）に車体保険をかける場合である。
【０００５】
この場合におけるデジタルカメラの使用手順は、次のようになる。
▲１▼キズ等の確認のために、自動車の写真をデジタルカメラで１０枚ほど、撮影する。
▲２▼自動車に関する資料（車種，保険番号等）を、資料用の用紙に記載する。
▲３▼自動車の写真をパソコン上に表示し、車種，保険番号を画像に貼り付ける等の編集を行う。
▲４▼撮影した画像が入っている外部メモリと前記資料を、査定マンに郵便で郵送、あるいは電子メールで送信する。
▲５▼査定マンは、写真と資料を見ながら、その自動車にかけられる保険金額を決定する。
【０００６】
ところで、前述のように、写真（撮影した画像）には日付や撮影者名称を入れることが可能である。即ち、デジタルカメラのセットアップモードにおいて、年月日時刻や撮影者名称を設定入力することにより、写真の右下等に日付等を記入することができる。この年月日時刻，撮影者名称等のデータは、一度設定しておけば、撮影の度ごとに変更する必要が無い。
【０００７】
しかし、自動車保険をかける際の査定業務では、写真に他の情報（例えば、保険番号）の入力を必要とする場合がある。
かかる場合に従来のデジタルカメラでは、前記他の情報を入力するに際し、撮影後の画像をパソコンに取り込み、パソコン上の画像編集アプリケーションソフトを用いて、前記他の情報を追加入力する作業を行っていた。
これでは、写真を撮ってからパソコン上で情報追加を行うために写真と情報の対応付けを、写真を見ながら行わなければならない。従って、例えば複数の対象物（複数の自動車）を撮影した場合に、対象物と情報（保険番号）の対応が分からなくなることがあった。
【０００８】
かかる不便を解消する手段として、本願出願人は先に特願２００１−３２４５５２（御社整理番号０１０５７３２「デジタルカメラ」、出願日平成１３年１０月２３日）を出願した。この特願２００１−３２４５５２は、例えば図１１に示すように、新規保険対象の自動車１１を撮影する場合に、デジタルカメラの液晶等からなる表示手段１２に自動車１１を表示し、「保険番号：１２３」を付加情報１３として追加可能にしていた。そして、自動車１１の画像を外部メモリ（メモリカード等）に格納する場合には、付加情報１３も同時に格納するようにしていた。
このようにすれば、撮影した画像に文字データを合成して１つの画像ファイルとして扱うことが可能となる。従って、デジタルカメラ単体として画像（自動車）に必要とする情報（保険番号）を付加できるので、従来例のように、撮影した後の画像をパソコン上で画像編集（情報の付加）することが不要となる。
【０００９】
ここで、特願２００１−３２４５５２に開示した保険番号等の追記方法を、図１２〜図１５を参照しつつ説明する。
図１２は静止画撮影の設定モードにおける設定画面の例を示す図、図１３は撮影時における文字入力の手順を示すフローチャート図、図１４は文字の編集に使用するデジタルカメラのキーボード画面を示す図、図１５は文字入力後のメニュー画面を示す図である。
先ず、図１２に示すように、静止画モードの設定をする際に、撮影メニューを表示手段１２に表示する。設定項目には、保険番号，音声付き撮影，フォーカス，日付入れ撮影，フラッシュ光量等がある。これらの設定項目の選択は、図示省略のタッチペンを用いて行う。
【００１０】
そして、例えば「保険番号」を設定するには、図１３に示すように、静止画撮影モードでデジタルカメラを立ち上げると（ステップＳ１）、表示手段１２に撮影画像（この場合は自動車）がモニタリングされる（ステップＳ２）。
この状態で撮影メニューボタン（図示省略）を押下すると、前記図１２が表示される（ステップＳ３）。次いで、「保険番号」を選択すると（ステップＳ４）、図１４に示すように、表示手段１２にキーボード１４が表示され、タッチペンの操作により「保険番号」（例えば、１２３）を入力する（ステップＳ５）。入力した文字データ（１２３）は、デジタルカメラ内蔵のメモリ部（図示省略）に記憶される。
【００１１】
以上の操作により、図１５に示すように、メニュー画面の「保険番号」の欄に「１２３」が入力される。この状態でモニタリング画面に戻ると、前記図１１に示すように、「保険番号：１２３」の文字データと共に、撮影枚数，画像の倍率，フラッシュの使用または不使用等のデータが表示される（ステップＳ６）。
このようにして「保険番号」等を設定した後にシャッターボタンを押下することにより、「保険番号：１２３」という文字データが、撮影画像データにメモリ部の編集領域において重ね合わされ、画像ファイル（ＥＸＩＦファイル）内に情報として追加され、メモリカード（外部メモリ）に保存される（ステップＳ７）。
このようにすることにより前記特願２００１−３２４５５２によれば、画像（自動車の画像）に文字情報（保険番号：１２３）を付加して、撮影画像ファイルに保存することが可能となり、デジタルカメラ単独で、付加情報の追加処理を実施できる。
【００１２】
【発明が解決しようとする課題】
しかしながら、前記特願２００１−３２４５５２の手段では、撮影画像ファイルに保存するまでの手順・操作が当該デジタルカメラに固有のものであり、初めて情報付加機能を使用するオペレータにとっては、取扱説明書を細心の注意を払って読む必要があり、面倒であった。
一方、現在ではパソコンの使用に慣れたオペレータも多く、またパソコンのＯＳ（基本ソフト）としてはマイクロソフト社のＷＩＮＤＯＷＳ９８，ＸＰ（登録商標）等が圧倒的なシェアを占めている。従って、ＷＩＮＤＯＷＳ９８，ＸＰ（登録商標）等で慣れ親しんでいる操作方法をデジタルカメラに応用すれば、デジタルカメラを初めて使用するオペレータの、デジタルカメラ操作の負担を減らすことができる。
【００１３】
本発明は、上記の事情にかんがみなされたもので、デジタルカメラで撮影した画像に、デジタルカメラ単独の操作により文字データ等を追記する場合に、オペレータのデジタルカメラ操作の負担を減らすようにしたデジタルカメラの提供を目的とする。
【００１４】
【課題を解決するための手段】
上記目的を達成するため請求項１記載の発明は、被写体を撮影する以前に、被写体に対する付加項目名を表示部に表示させて選択可能とし、選択した付加項目名を前記被写体の画像に付加情報として追加して撮影可能としたデジタルカメラ装置において、
当該デジタルカメラ装置に装填して使用するメモリカード内に、あらかじめ前記付加項目名を付したフォルダをディレクトリ構成で格納しておき、前記表示部に表示させた前記付加項目名の中から選択可能とした構成としてある。
このようにすれば、メモリカード内にあらかじめ記録されている付加項目名（例えば、図４（Ａ），（Ｂ）における「ＩＴＥＭ１」）を、表示部に表示するようにしたので、オペレータは各種の付加項目名を容易に選択することができる。
【００１５】
次に請求項２記載の発明は、請求項１記載のデジタルカメラ装置において、
前記付加項目名は被写体のタイトル名である構成としてある。
このようにすれば、付加項目名としてタイトル名（例えば、図４（Ａ），（Ｂ）における「保険番号」）の表示を行うようにしたので、記録してあるメモリカード内の項目の分類名等がすぐに分かり、デジタルカメラ装置の操作性が向上する。
【００１６】
次に請求項３記載の発明は、請求項１または請求項２記載のデジタルカメラ装置において、
前記付加項目名の数が前記表示部の表示領域の表示可能数より多い場合に、自動的に次画面を生成して次の付加項目名を表示可能にした構成としてある。
このようにすれば、例えば図６（Ｂ）に示すように、付加項目名の数が表示部１４０の領域からはみ出す場合に、自動的にはみ出した項目名を次の画面として表示するので、デジタルカメラ装置の操作性が向上する。
【００１７】
次に請求項４記載の発明は、請求項１または請求項２記載のデジタルカメラ装置において、
前記付加項目名の数が前記表示部の表示可能数より多い場合に、前記付加項目名の文字を縮小して前記表示部に表示する構成としてある。
このようにすれば、例えば図７（Ｂ）に示すように、付加項目名の数が表示部１４０Ａ（この表示部１４０Ａは、図６（Ｂ）の表示部１４０より小さいものとする）の表示部領域をはみ出す場合に、表示文字を小さくして表示するので、画面の小さな表示部の操作性が向上する。
【００１８】
次に請求項５記載の発明は、請求項１または請求項２記載のデジタルカメラ装置において、
前記付加項目名を選択して表示部に表示した際に、選択した付加項目の文字数が該表示部の表示可能領域より多い場合に、該表示可能領域内で横スクロールを行って全ての文字を表示する構成としてある。
このようにすれば、例えば図８（Ｂ）に示すように、文字をスクロールさせているので、付加項目の文字数が該表示部の表示可能領域より多い場合であっても、全ての文字を表示部に表示することができる。
【００１９】
次に請求項６記載の発明は、請求項５記載のデジタルカメラ装置において、
前記横スクロールを行う際は、前記付加項目名の先頭文字を表示部の左詰で表示させ、一連の文字表示毎に所定時間の表示を行う構成としてある。
このようにすれば、オペレータは確実に表示された文字を読むことができる。
【００２０】
次に請求項７記載の発明は、請求項１記載のデジタルカメラ装置において、
前記メモリカード内の選択項目毎に、前記ディレクトリ構成における画像格納先を分類する構成としてある。
このようにすれば、メモリカード内の選択項目毎にカメラ内の画像格納先のフォルダを自動生成しその中に画像分類しているので、メモリカードをＰＣに装填して画面を開いた場合に、選択項目毎に自動的に分類が行われ、メモリカードを単独で扱う場合の操作性が向上する。
【００２１】
次に請求項８記載の発明は、請求項１記載のデジタルカメラ装置において、
複数の被写体を順次撮影する場合に、前記付加項目名に付された数字を自動的に一定数インクリメントする構成としてある。
このようにすれば、例えば図１０に示すように、複数の被写体を順次撮影する場合に、付加項目名を選択後に、付加項目名の番号を自動的に一定数（ＩＴＥＭ２−２９インクリメントするようにしたので（「ＩＴＥＭ２−１」を「ＩＴＥＭ２−２」にインクリメント）、撮影の都度、付加項目名の番号を入力する煩わしさがなくなり、連続した複数枚の撮影時の操作性が向上する。
【００２２】
【発明の実施の形態】
以下、本発明を図示の実施形態に基づいて説明する。
＜デジタルカメラの構成＞
図１は、以下に説明する各実施形態を適用するデジタルカメラのブロック図である。
図１に示すように、デジタルカメラＤＣは、デジタルカメラ全体の制御を行うシステム制御部１１０と、撮像素子（ＣＣＤ）を備え画像を撮影する制御を行うカメラ制御部１２０と、画像圧縮・伸張等の制御を行う画像データ記録再生部１３０と、画像の表示を行う液晶等からなる表示部１４０とを備える。
【００２３】
さらに、デジタルカメラＤＣは、音声データの記録再生を行う音声データ記録再生部１５０と、シャッター等を備えた操作部１６０と、図示省略のタッチペンを用いての指示入力を行うタッチパネル操作部１７０と、画像データを外部のパソコンと送受信するインタフェースを備えたＰＣ／ＩＦ部１８０と、フラッシュメモリ等のＣＦカード１９１を挿脱するカードスロット部１９０と、高性能の二次電池等からなる電源部２１０とを備える。
【００２４】
次に、デジタルカメラＤＣの前記構成部を詳細に説明する。但し、本発明は前記構成部の内、システム制御部１１０（特に画像編集・合成処理部１１１ａ）の動作・処理に関するものなので、システム制御部１１０以外の構成部（例えば、画像データ記録再生部１３０等）の詳細説明は省略する。
システム制御部１１０は、以下に説明する各種の処理を行う処理手段としてのＣＰＵ１１１と、撮影した画像データやカメラ固有の初期設定情報を一時的に記録するＳＤ−ＲＡＭ１１２と、デジタルカメラＤＣ全体の制御プログラムを記録したＦＬＡＳＨ−ＲＯＭ１１３とを備える。
【００２５】
ＣＰＵ１１１は、ＡＥ，ＣＣＤＡＥ，ＡＷＢ処理手段１１１ａと、音声／動画処理手段１１１ｂと、画像編集・合成処理手段１１１ｃと、撮影リスト処理，リスト作成／フォルダ管理手段１１１ｄと、暗号化／すかし処理手段１１１ｅと、電池残量検出手段１１１ｆと、メモリ制御手段１１１ｅとを備える。
ＡＥ，ＣＣＤＡＦ，ＡＷＢ処理手段１１１ａは、オートフォーカス，光量制御等のデジタルカメラの基本的な制御処理を行う。
音声／動画処理手段１１１ｂは、オペレータの指示に応じて音声入力，動画の記録再生処理を行う。
【００２６】
画像編集・合成処理手段１１１ｃは、撮影した画像に編集機能を用いて付加情報の編集・追記、および画像合成を行う（後述）。
フォルダ管理手段１１１ｄは、撮影した画像に付加情報を編集・追記した画像データをフォルダ毎に記録したフォルダの管理を行う。
メモリ制御手段１１１ｅは、画像データをメモリに記録するときの記録先や記録方式の制御・管理を行う。
【００２７】
＜ＣＦカードのディレクトリ構成＞
以下の各実施形態に適用するＣＦカードのディレクトリ構成を説明する。
図２はＣＦカードのディレクトリ構成を示す図であって、（Ａ）は本実施形態のディレクトリ構成の全体像を示す図、（Ｂ）は本発明独自のＣＡＭＥＲＡ＿ＭＥＭＯフォルダのディレクトリ構成を示す図、（Ｃ）はＣＡＭＥＲＡ＿ＭＥＭＯフォルダの格納内容の具体例を示す図である。
図２（Ａ）に示すように、ＣＦカード１９１には、ルートディレクトリＲТの下にデジタルカメラに関するカメラファイルシステムの標準規格（ＤＣＦ（Ｄｅｓｉｇｎ　ｒｕｌｅ　ｆｏｒ　Ｃａｍｅｒａ　Ｆｉｌｅ　ｓｙｓｔｅｍ））として、ＤＣＩＭ（デジタルカメライメージ）フォルダ３００と、ＭＩＳＣフォルダ４００とがある。更にルートディレクトリＲТに下には、本実施形態独自のＣＡＭＥＲＡ＿ＭＥＭＯフォルダ５００がある。
【００２８】
ＤＣＩＭフォルダ３００は、画像ファイルを格納するフォルダであり、ＭＩＳＣフォルダ４００は、プリントアウト情報（ＤＰＯＦ（Ｄｉｇｉｔａｌ　Ｐｒｉｎｔ　Ｏｒｄｅｒ　Ｆｏｒｍａｔ））に規定されたパラメータを格納しているフォルダである。
ＤＣＩＭフォルダ３００の下には、１００ＲＩＣＯＨフォルダ３１０と、１０１ＲＩＣＯＨフォルダ３２０とがあり、それぞれのフォルダには画像データを格納する。
【００２９】
図２（Ｂ）に示すように、ＣＡＭＥＲＡ＿ＭＥＭＯ（カメラメモ）フォルダ５００の下位に、ＩＴＥＭ１フォルダ５１０，ＩＴＥＭ２フォルダ５２０，ＩＴＥＭ３フォルダ５３０，ＩＴＥＭ４フォルダ５４０，ＩＴＥＭ５フォルダ５５０がある。ＩＴＥＭ１フォルダ５１０の下に、ＩＴＥＭ１−１フォルダ５１１とＩＴＥＭ１−２フォルダ５１２がある。ＩＴＥＭ１−１フォルダ５１１の下に、ＤＡＴＡ１−１フォルダ５１１ａがある。ＩＴＥＭ１−２フォルダ５１２の下に、ＤＡＴＡ１−２フォルダ５１１ｂがある。ＩＴＥＭ３フォルダ〜ＩＴＥＭ５フォルダの下位についても、同様にディレクトリ構成でフォルダがある。
【００３０】
具体例により説明する。
図２（Ｃ）に示すように、ＩＴＥＭ１フォルダ５１０には大分類として例えば「車体番号」を格納し、ＩＴＥＭ１−１フォルダ５１１には地域名として例えば「東京」を格納し、ＤＡＴＡ１−１フォルダ５１１ａには、車体番号の具体例として例えば「練馬５７み１２３４」のデータを格納する。
同様に、ＩＴＥＭ２フォルダ５２０には大分類として例えば「保険番号」を格納し、ＩＴＥＭ２−１フォルダ５２１には例えば「保険種類」として任意保険を格納し、ＤＡＴＡ２−１フォルダ５２１ａには、「保険番号」の具体例として例えば「ＡＢＣ９８７６５」を格納する。
【００３１】
（１）第１の実施形態…請求項１に対応
次に、図３，図４を参照しつつ、本実施形態の動作を説明する。図３は本実施形態のフローチャート図、図４（Ａ），（Ｂ）はデジタルカメラの表示部に表示される画面の推移過程を示す図である。
予めデジタルカメラに、前述の「車体番号」，「保険番号」等に関する情報を格納したＣＦカード１９１を、カードスロット部１９０（図１参照）に装填し、デジタルカメラを作動状態に設定しておく。
【００３２】
先ず、カメラメモ内容（ＣＡＭＥＲＡ＿ＭＥＭＯフォルダの内容）をＣＦカード１９１の情報から読み込み（ステップＳ１０１）、表示部１４０に読み込んだ項目を表示する。表示項目は、図４（Ａ）に示すように、「ＩＴＥＭ１」（車体番号），「ＩＴＥＭ２」（保険番号）等である（ステップＳ１０２）。
そして、例えば「車体番号」をタッチペンによりクリックして選択すると、ＩＴＥＭ１−１フォルダ５１１（東京），ＩＴＥＭ１−２フォルダ５１２（例えば、神奈川（図示省略））等が表示される。ＩＴＥＭ１−１フォルダ５１１「東京」をクリックすると、東京都内の車体番号リストが表示される。
オペレータはそのリストの中から例えば「練馬５７み１２３４」をクリックして選択し、車体番号を確定する。
【００３３】
オペレータは画面を戻し、図４（Ｂ）に示すように、再度「ＩＴＥＭ１〜ＩＴＥＭ４フォルダ」を表示させ、ＩＴＥＭ２フォルダ５２０をクリックして「保険番号」を選択する。すると、ＩＴＥＭ２−１フォルダ５２１（任意保険）とＩＴＥＭ２−２フォルダ５２２（強制保険（図示省略））が表示されるので、例えばＩＴＥＭ２−１フォルダ５２１（任意保険）を選択してクリックすると保険番号「ＡＢＣ９８７６５」が表示される。このようにして任意保険番号の「ＡＢＣ９８７６５」が確定する。
以上のようにして、車体番号「練馬５７み１２３４」に対する保険番号「ＡＢＣ９８７６５」が確定する。
【００３４】
この「練馬５７み１２３４」と「ＡＢＣ９８７６５」を選択確定した状態で被写体を撮影し（ステップＳ１０４：Ｙｅｓ）、撮影した画像データと共に選択済みの「練馬５７み１２３４」「ＡＢＣ９８７６５」をデータとしてＥＸＩＦファイル（画像ファイル）に書き込むと（ステップＳ１０５）、終了（リターン）となる。
このＥＸＩＦファイルには前記図１１に示したように、自動車１１の画像と共に保険番号「ＡＢＣ９８７６５」と車体番号「練馬５７み１２３４」が格納される。また、前記ステップＳ１０４で撮影しない場合は（ステップＳ１０４：Ｎｏ）、そのまま終了する。
【００３５】
このようにすれば、オペレータはＷＩＮＤＯＷＳ９８（登録商標）等のパソコン操作で慣れているディレクトリ構成の中から順次必要とする項目を選択できるので、デジタルカメラの付加情報機能を利用する場合に、簡単に操作方法をマスターすることができる。
【００３６】
（２）第２の実施形態…請求項２に対応
本実施形態の動作のフローチャート図を、図５に示す。
図５に示すように、ＣＡＭＥＲＡ＿ＭＥＭＯフォルダ５００の下のディレクトリ構成のＴＩＴＬＥファイル（表題ファイル）内の情報を表示させる。ＴＩＴＬＥファイルとしては、例えば「車体番号」「保険番号」等がある（ステップＳ２０１）。オペレータは必要とするＴＩＴＬＥファイルを探し（ステップＳ２０２）、ＴＩＴＬＥファイルがあれば（ステップＳ２０３：Ｙｅｓ）、そのＴＩＴＬＥファイルを読み込み、表示部１４０のタイトル位置に表示する。タイトル位置としては例えば図１１の「保険番号」のように、自動車の直ぐ下の位置がある（ステップＳ２０４）。
【００３７】
（３）第３の実施形態…請求項３に対応
図６（Ａ）は本実施形態の動作のフローチャート図、図６（Ｂ）は表示部に表示されるタイトルの具体例を示す図である。
前記第１の実施形態のデジタルカメラＤＣは、小型なため表示部１４０の画面の広さが限られているので、多数の項目（タイトル）が表示できない。そこで、項目数が表示可能な項目数より多い場合には、自動的に次画面を生成して項目数に応じた表示を行うようにする。
【００３８】
図６（Ａ）に示すように、ＣＡＭＥＲＡ＿ＭＥＭＯフォルダ５００の下のディレクトリを検索し、表示希望の項目数が幾つかを表示する。前記検索の結果、表示希望項目数が８項目だと仮定する（ステップＳ３０１）。一方、表示部１４０の表示可能な項目数（基本表示項目数）は、例えば４項目とする（図６（Ｂ）参照）。
【００３９】
次いで、表示用データ（表示希望項目数）が基本表示項目数（この場合は４項目）より多いか否かを比較する（ステップＳ３０２）。この場合は表示する項目数が８項目であり「基本表示項目数（４項目）＜表示希望項目数（８項目）」なので、最初の４項目（ＩＴＥＭ１〜４）を先ず表示し（図６（Ｂ）の左側の表示部参照）、次にある時間の経過後、残りの４項目（ＩＴＥＭ５カラ）を表示する（図６（Ｂ）の右側の表示部参照）。
このようにすれば、表示部１４０が小さい場合であっても（例えば基本表示項目数：４）、ディレクトリ構成で格納してある全ての項目（例えば項目数：８）を表示することができる。
【００４０】
（４）第４の実施形態…請求項４に対応
図７（Ａ）は本実施形態の動作のフローチャート図、図７（Ｂ）は表示部に表示されるタイトルの具体例を示す図である。
前記付加情報機能を持ったデジタルカメラの中には、図７（Ｂ）に示すように、表示部１４０Ａの画面が非常に小さいタイプ（画面小タイプと記す）のものもある。この画面小タイプのデジタルカメラであっても、前記ＣＦカード１９１を第１の実施形態のデジタルカメラＤＣと同様に使用可能である。
かかる場合に、画面小タイプのカメラの表示部１４０Ａに多数の項目を表示させようとすると、図７（Ｂ）左側に示すように、「ＩＴＥＭ１〜３」は表示できるが、「ＩＴＥＭ４」は表示できない。
【００４１】
そこで、図７（Ｂ）右側に示すように、文字の大きさを自動的に小さくし、「ＩＴＥＭ１〜４」を小さな表示部１４０Ａに同時に表示するようにする。
次に本実施形態の動作を説明する。図７（Ａ），（Ｂ）に示すように、ＣＡＭＥＲＡ＿ＭＥＭＯフォルダ５００の下のディレクトリを検索し、表示希望の項目数が幾つかを表示する。前記検索の結果、表示希望項目数が項目だと仮定する（ステップＳ４０１）。一方、画面小カメラの表示部１４０Ａの表示可能な項目数（基本表示項目数）は、例えば３項目とする（図７（Ｂ）左側参照）。
【００４２】
次いで、表示用データ（表示希望項目数：４項目）が基本表示項目数（この場合は３項目）より多いか否かを比較する（ステップＳ４０２）。この場合は「基本表示項目数（３項目）＜表示希望項目数（４項目）」なので（ステップＳ４０２：Ｙｅｓ）、表示部１４０Ａの画面の領域に４項目（ＩＴＥＭ１〜４）が同時に表示されるように、表示する文字の大きさを調整する（ステップＳ４０３、図７（Ｂ）右側参照）。
このようにすれば、表示部１４０Ａが小さい場合であっても（例えば基本表示項目数：３）、ディレクトリ構成で格納してある全ての項目（例えば項目数：４）を表示することができる。
【００４３】
（５）第５の実施形態…請求項５および請求項６に対応
図８（Ａ）は本実施形態の動作のフローチャート図、図８（Ｂ）は表示部に表示される文字の具体例を示す図である。
表示部１４に表示可能な文字数は、図８（Ｂ）に示すように、横方向に６文字であるとする。一方、車体番号（例えば、練馬５５み１２３４）の文字数は９文字である。従って、車体番号「練馬５５み１２３４」を全て同時に表示部１４０に表示することは不可能である。
【００４４】
そこで、かかる場合には、文字（練馬５５み１２３４）を横スクロールして全体が表示終了後、最初の表示に戻ったときに数秒の待ち時間を入れるようにする。
次に本実施形態の動作を説明する。図８（Ａ），（Ｂ）に示すように、ＣＡＭＥＲＡ＿ＭＥＭＯフォルダ５００の下のディレクトリを検索し、表示希望の文字数（練馬５５み１２３４：９文字）が幾つかを表示する。前記検索の結果、表示希望文字数が９文字だと仮定する（ステップＳ５０１）。一方、表示部１４０の表示可能な文字数（基本表示文字数）は、例えば６文字とする（図８（Ｂ）左側参照）。
【００４５】
次いで、表示用データ（表示希望文字数：９文字）が基本表示可能文字数（この場合は６文字）より多いか否かを比較する（ステップＳ５０２）。この場合は「基本表示可能文字数（６項目）＜表示希望文字数（９文字）」なので（ステップＳ５０２：Ｙｅｓ）、「練馬５５み１２３４」を左詰にして順次横スクロールして、全ての文字を表示させるようにする（ステップＳ５０３、図７（Ｂ）左側および右側参照）。
このようにすれば、表示部１４０が小さい場合であっても（例えば基本表示文字数：６）、ディレクトリ構成で格納してある全ての項目（例えば文字数：９）を表示することができる。
【００４６】
（６）第６の実施形態…請求項７に対応
図９は本実施形態の動作のフローチャート図である。
デジタルカメラでは、メモリカード内に、画像データを記録するディレクトリ構成は工業会の標準規格で定められており、ＤＣＦ（デジタルカメラフォーマット）形式と呼ばれている。このＤＣＦ形式においては、撮影時には、通常画像データは１００ＲＩＣＯＨフォルダ３１０の下に順番に保存される。例えば、ファイル名がＲＩＭＧ０００１．ＪＰＧ，ＲＩＭＧ０００２．ＪＰＧ，ＲＩＭＧ０００３．ＪＰＧ・・・ＲＩＭＧ０００ｎ．ＪＰＧのように、連番で記録されている。
【００４７】
通常では、画像データは連番のファイル名で表示されているので、例えば自動車画像Ａ，自動車画像Ｂを撮影した場合にでも、オペレータはファイル名を見ただけでは、中の画像がどの項目（車体番号，地域名等）に関連づけられて撮影されているのか分からない。従って、それぞれの画像ファイルを開いたり、専用のビューワソフトを使用して、項目名を表示させる必要があるという不便さがある。
【００４８】
そこで、本実施形態では、画像を撮影する前に、カメラメモ機能において項目を選択することに着目し、項目選択時には、カメラメモ（ＣＡＭＥＲＡ＿ＭＥＭＯ）の項目が格納されているフォルダ名を参照しながら、項目選択を行ってゆくので、カメラはどのフォルダが選ばれたかが分かることになる。
撮影時には、通常では、画像データを１００ＲＩＣＯＨフォルダに記録されるので、記録後に選択された項目と同じフォルダに、同じ画像ファイルをコピーしてやることにより、フォルダ名を見るだけでオペレータは、そのフォルダ内の画像ファイルが、どの項目（車体番号）に関係した画像だかが分かるようになる。
【００４９】
次に本実施形態の動作を説明する。
図９に示すように、撮影前にカメラメモ５００の格納項目の中から例えばＩＴＥＭ１−１フォルダ５１１（地域名：東京）を選択し（ステップＳ６０１）、被写体（自動車）を撮影する（ステップＳ６０２）。その時に画像データのファイル名がＲＩＭＧ００１．ＪＰＧになるとする。
次いで、この画像データ（ＲＩＭＧ００１．ＪＰＧ）を１００ＲＩＣＯＨフォルダ３１０へ保存し（ステップＳ６０３）、ＣＡＭＥＲＡ＿ＭＥＭＯのディレクトリの下の選択された項目（ＩＴＥＭ１−１）の下に自動的にコピーする（ステップＳ６０４）。
【００５０】
このようにすれば、オペレータは、撮影操作の終了後にＣＦカード１９１をＰＣ（パソコン）にセットし、ＰＣのエクスプローラ等で見ると各フォルダの下にも自動的に画像ファイルが分類されて記録されているので、フォルダ名を見るだけで中の画像にどんな内容が記録されているかか簡単に判別できるようになり、その後の画像の分類等もしやすくなり、操作性が向上する。
【００５１】
（７）第７の実施形態…請求項８に対応
図１０は本実施形態の動作のフローチャート図である。
例えば複数の自動車を順次撮影場合には、自動車の保険番号を「ＡＢＣ・・・１１１」，「ＡＢＣ・・・１１２」，「ＡＢＣ・・・１１３」のように連続番号（連番）にすることがある。この連番付与の条件下で、撮影対象の自動車が変わる都度、「ＡＢＣ・・・１１Ｎ」（Ｎ：正整数）のように英数字をデジタルカメラに入力するのは煩わしい。本実施形態はこの煩わしさを解消する方法である。
【００５２】
図１０に示すように、ＣＡＭＥＲＡ＿ＭＥＭＯフォルダ５００の下のディレクトリを検索し、項目（例えば、ＩＴＥＭ２（保険番号））を読み込む（ステップＳ７０１）。そして、自動インクリメント（自動連番付与）する場合には（ステップＳ７０２：Ｙｅｓ）、項目名の最後の数字に「１」を加える。例えば「ＩＴＥＭ２−１」を「ＩＴＥＭ２−２」にする（ステップＳ７０３）。更に具体的には、前回の保険番号が「ＡＢＣ・・・１１３」であったとすると、「１」を加えて「ＡＢＣ・・・１１４」にする。この「１」を加えた状態で撮影を行う（ステップＳ７０４）。
このようにすれば、被写体を連番で整理する場合に、オペレータは連番をデジタルカメラに入力する必要がなくなる。
【００５３】
なお、撮影対象に連番を付与する例としては、本実施形態の他に、例えば、倉庫に保管した物品に連番を付与して撮影する場合、インターネット・オークションの出品物に連番を付与する場合等がある。
【００５４】
【発明の効果】
以上説明したように本発明によれば、以下の効果を発揮することができる。
請求項１記載の発明によれば、メモリカード内にあらかじめ記録されている項目をデジタルカメラ装置に表示するようにしたので、各種の項目名に対応することができる。また、画像ファイル内に記録される項目名の種類を容易に増やすことができるので、撮影後の写真の整理が簡単になり、オペレータの操作性が向上する。
【００５５】
請求項２記載の発明によれば、タイトル表示を行うようにしたので、記録してあるメモリカード内の項目の分類名等がすぐに分かり、デジタルカメラ装置の操作性が向上する。
請求項３記載の発明によれば、項目数が表示部の領域からはみ出す場合に、自動的にはみ出した項目名を次の画面として表示するので、デジタルカメラ装置の操作性が向上する。
請求項４記載の発明によれば、項目数が表示部領域をはみ出す場合に、表示文字を小さくして表示するので、画面の小さなデジタルカメラ装置における操作性が向上する。
【００５６】
請求項５記載の発明によれば、文字をスクロールさせるようにしているので、オペレータの操作性が向上する。
請求項６記載の発明によれば、文字をスクロールさせ、更に、項目の切れ目に間をおいてスクロールするようにしているので、オペレータの視認性と操作性が向上する。
【００５７】
請求項７記載の発明によれば、メモリカード内の選択項目毎にデジタルカメラ装置内の画像記録先のフォルダを自動生成しその中に画像分類することによりＰＣに戻したときにでも自動的に分類が行われているので、後の操作性が向上する。
請求項８記載の発明によれば、項目選択後に複数枚撮影する場合に、項目の番号を自動的に一定数（例えば＋１）インクリメントするようにしたので、毎回項目番号を入力する煩わしさがなくなり、連続した複数枚撮影時の操作性が向上する。
【図面の簡単な説明】
【図１】本発明の各実施形態を適用するデジタルカメラ装置のブロック図である。
【図２】本発明の各実施形態を適用するＣＦカードのディレクトリ構成を説明する図であって、（Ａ）はディレクトリ構成の全体像を示す図、（Ｂ）は本発明態独自のＣＡＭＥＲＡ＿ＭＥＭＯフォルダのディレクトリ構成を示す図、（Ｃ）はＣＡＭＥＲＡ＿ＭＥＭＯフォルダの格納内容の具体例を示す図である。
【図３】本発明の第１の実施形態の動作を示すフローチャート図である。
【図４】同第１の実施形態における、表示部の画面推移を示す図であって、（Ａ）はＩＴＥＭ１を選択した場合、（Ｂ）はＩＴＥＭ２を選択した場合である。
【図５】本発明の第２の実施形態の動作を示すフローチャート図である。
【図６】本発明の第３の実施形態を説明する図であって、（Ａ）はフローチャート図、（Ｂ）は画面の推移を説明する図である。
【図７】本発明の第４の実施形態を説明する図であって、（Ａ）はフローチャート図、（Ｂ）は画面の推移を説明する図である。
【図８】本発明の第５の実施形態を説明する図であって、（Ａ）はフローチャート図、（Ｂ）は画面の推移を説明する図である。
【図９】本発明の第６の実施形態を説明する図であって、（Ａ）はフローチャート図、（Ｂ）は本実施形態のイメージを説明する図である。
【図１０】本発明の第７の実施形態の動作を示すフローチャート図である。
【図１１】従来の被写体画像（自動車画像）に付加情報（保険番号）を追加した図である。
【図１２】従来の静止画撮影の設定モードにおける設定画面の例を示す図である。
【図１３】従来の撮影時における文字入力の手順を示すフローチャート図である。
【図１４】従来の文字の編集に使用するデジタルカメラのキーボード画面を示す図である。
【図１５】従来の文字入力後のメニュー画面を示す図である。
【符号の説明】
ＤＣ…デジタルカメラ装置
ＲТ…ルートディレクトリ
１１…自動車
１２…表示手段
１３…付加情報
１４…キーボード
１１０…システム制御部
１１１…ＣＰＵ
１１１ａ…ＡＥ，ＣＣＤＡＦ，ＡＷＢ処理手段
１１１ｂ…音声／動画処理手段
１１１ｃ…画像編集・合成処理手段
１１１ｄ…フォルダ管理手段
１１１ｅ…メモリ制御手段
１１２…ＳＤ−ＲＡＭ
１１３…ＦＬＡＳＨ−ＲＯＭ
１２０…カメラ制御部
１３０…画像データ記録再生部
１４０…表示部
１５０…音声データ記録再生部
１６０…操作部
１７０…タッチパネル操作部
１８０…ＰＣ／ＩＦ部
１９０…カードスロット部
１９１…ＣＦカード
２１０…電源部
３００…ＤＣＩＭ（デジタルカメライメージ）フォルダ
３１０…１００ＲＩＣＯＨフォルダ
３２０…１０１ＲＩＣＯＨフォルダ
４００…ＭＩＳＣフォルダ
５００…ＣＡＭＥＲＡ＿ＭＥＭＯフォルダ
５１０…ＩＴＥＭ１フォルダ
５１１…ＩＴＥＭ１−１フォルダ
５１１ａ…ＤＡＴＡ１−１フォルダ
５１２…ＩＴＥＭ１−２フォルダ
５１２ａ…ＤＡＴＡ１−２フォルダ
５２０…ＩＴＥＭ２フォルダ
５２１…ＩＴＥＭ２−１フォルダ
５２１ａ…ＤＡＴＡ２−１フォルダ
５２２…ＩＴＥＭ２−２フォルダ
５２２ａ…ＤＡＴＡ２−２フォルダ
５３０…ＩＴＥＭ３フォルダ
５４０…ＩＴＥＭ４フォルダ
５５０…ＩＴＥＭ５フォルダ
【図１】
2004072390.tif 000003
【図２】
2004072390.tif 000004
【図３】
2004072390.tif 000005
【図４】
2004072390.tif 000006
【図５】
2004072390.tif 000007
【図６】
2004072390.tif 000008
【図７】
2004072390.tif 000009
【図８】
2004072390.tif 000010
【図９】
2004072390.tif 000011
【図１０】
2004072390.tif 000012
【図１１】
2004072390.tif 000013
【図１２】
2004072390.tif 000014
【図１３】
2004072390.tif 000015
【図１４】
2004072390.tif 000016
【図１５】
2004072390.tif 000017